(57)【特許請求の範囲】
【請求項１】
板状の透明な樹脂に光学的に読み取り可能な点が付けられていることによりデジタルデータが記録されている記録媒体であって、
板の厚み方向に３行で板の表面に水平な方向に３列の９個の点状の領域を１単位とし、
１行１列目の点状の領域に単位の存在を示す基準点として常に点が付けられ、
１行１列目以外の８個の点状の領域に点が付けられているか否かで８ｂｉｔのデジタルデータが記録されていることを特徴とする記録媒体。
【請求項２】
前記透明な樹脂は、透明なポリエチレンテレフタレート樹脂、透明なポリカーボネート樹脂、透明なアクリル樹脂のいずれかであることを特徴とする請求項１記載の記録媒体。
【請求項３】
板状の透明な樹脂に光学的に読み取り可能な点を付けることによりデジタルデータを記録する方法であって、
板の厚み方向に３行で板の表面に水平な方向に３列の９個の点状の領域を１単位とし、
１行１列目の点状の領域に単位の存在を示す基準点として常に点を付け、
１行１列目以外の８個の点状の領域に点を付けるか否かで８ｂｉｔのデジタルデータを記録することを特徴とする記録方法。
【請求項４】
前記透明な樹脂は、透明なポリエチレンテレフタレート樹脂、透明なポリカーボネート樹脂、透明なアクリル樹脂のいずれかであることを特徴とする請求項３記載の記録方法。
【発明の詳細な説明】
【技術分野】
【０００１】
本発明は、記憶媒体及び方法に関する。
【背景技術】
【０００２】
一般に、歴史的に貴重な物品や風景の保存においては、以下の様な取組が実施されている。
【０００３】
まず、物品においては、オリジナルの厳重な保管や修復、オリジナルに忠実な複製品の製作、撮影によるデジタルデータ化、形状測定によるデジタルデータ化、コンピュータグラフィックスやバーチャルリアリティ映像によるデジタルデータでの複製や復元が挙げられる。
【０００４】
また、風景においては、景観条例等の景観を維持するための仕組作り、コンピュータグラフィックスやバーチャルリアリティ映像によるデジタルデータでの複製や復元が挙げられる。
【０００５】
しかしながら、物品においては、オリジナルは、風化等の経年劣化により保存や展示が困難なもの、なりつつあるものがあり、オリジナルに忠実な複製品を製作している場合もあるが、複製に掛かる費用も時間も膨大なものとなるという問題がある。
【０００６】
風景においては、既に失われたものの復元は、その広大さゆえに困難という問題がある。
【０００７】
そこで、これらの問題を解決するものとして、物品や風景をコンピュータグラフィックスやバーチャルリアリティ映像のデジタルデータで保存する作業が進展している。
【０００８】
しかしながら、デジタルデータは利活用に留まっており、デジタルデータを長期に安全に保存する技術は確立されていない。
【０００９】
例えば、古代に情報が記録され現代まで残っている記録媒体として、石版、木簡、竹簡等が知られているが、これらは、記録密度が極めて低く、デジタルデータの記録には適さない。
【００１０】
また例えば、一般に、デジタルデータを記録するのに適した記録密度が高い記録媒体として、磁気ディスクや光学ディスクが知られているが、これらは、経年劣化により、破損や腐食等が進み、磁気ディスクは数年、光学ディスクは数十年で読み取りが不可能になる恐れがある。
【００１１】
これに対して、デジタルデータを長期保存する記録媒体として、石英ガラスまたは酸化アルミニウムの結晶であるサファイアを用いることが提案されている（例えば特許文献１参照）。
【００１２】
しかしながら、石英ガラスやサファイアは、大変高価であるという問題がある。
【００１３】
また、特許文献１の提案では、デジタルデータの記録媒体への書き込みについては、第１の座標軸上のデータを２次元の逆フーリエ変換を行うことにより第２の座標軸上のデータに変換して記録媒体の微小領域に格納することを行い、デジタルデータの記録媒体から
の読み取りについては、記録媒体に電磁波を照射して得られた情報に１次元のフーリエ変換の演算を行うことで、第１の座標軸上のデータを得ており、デジタルデータの書き込み読み取り方法が非常に複雑である。
【００１４】
そして、このように非常に複雑なデジタルデータの書き込み読み取り方法が、後世まで残っているという保証はなく、失われた場合、記録媒体は経年劣化を免れても、記録媒体に記録されているデジタルデータを解析することが困難になるという問題がある。
【先行技術文献】
【特許文献】
【００１５】
【特許文献１】国際公開第２０１０／０５０３７０号
【発明の概要】
【発明が解決しようとする課題】
【００１６】
本発明は、このような問題を解決するためになされたもので、デジタルデータを、高記録密度で、解析が容易に、しかも、安価に、超長期保存できることを課題とする。
【課題を解決するための手段】
【００１７】
本発明において上記課題を解決するために、まず請求項１の発明では、板状の透明な樹脂に光学的に読み取り可能な点が付けられていることによりデジタルデータが記録されている記録媒体であって、
板の厚み方向に３行で板の表面に水平な方向に３列の９個の点状の領域を１単位とし、
１行１列目の点状の領域に単位の存在を示す基準点として常に点が付けられ、
１行１列目以外の８個の点状の領域に点が付けられているか否かで８ｂｉｔのデジタルデータが記録されていることを特徴とする記録媒体としたものである。
【００１９】
また請求項２の発明は、前記透明な樹脂は、透明なポリエチレンテレフタレート樹脂、透明なポリカーボネート樹脂、透明なアクリル樹脂のいずれかであることを特徴とする請求項１記載の記録媒体としたものである。
【００２０】
また請求項３の発明は、板状の透明な樹脂に光学的に読み取り可能な点を付けることによりデジタルデータを記録する方法であって、
板の厚み方向に３行で板の表面に水平な方向に３列の９個の点状の領域を１単位とし、
１行１列目の点状の領域に単位の存在を示す基準点として常に点を付け、
１行１列目以外の８個の点状の領域に点を付けるか否かで８ｂｉｔのデジタルデータを記録することを特徴とする記録方法としたものである。
【００２２】
また請求項４の発明では、前記透明な樹脂は、透明なポリエチレンテレフタレート樹脂、透明なポリカーボネート樹脂、透明なアクリル樹脂のいずれかであることを特徴とする請求項３記載の記録方法としたものである。
【発明の効果】
【００２３】
請求項１の発明は、透明な樹脂に光学的に読み取り可能な点が付けられていることによりデジタルデータが記録されているので、また、請求項４の発明は、透明な樹脂に光学的に読み取り可能な点を付けることによりデジタルデータを記録するので、紫外線を遮断すれば、デジタルデータを、百年以上、安価に、高倍率のルーペを用いて目視でも読み取り可能に保存することができる。
【００２４】
また、請求項１の発明は、３行３列の９個の点状の領域を１単位とし、１行１列目の点状の領域に単位の存在を示す基準点として常に点が付けられ、１行１列目以外の８個の点状の領域に点が付けられているか否かで８ｂｉｔのデジタルデータが記録されているので、また、請求項４の発明は、３行３列の９個の点状の領域を１単位とし、１行１列目の点状の領域に単位の存在を示す基準点として常に点を付け、１行１列目以外の８個の点状の領域に点を付けるか否かで８ｂｉｔのデジタルデータを記録するので、デジタルデータを、高記録密度で、解析が容易に保存することができる。
【００２５】
また、請求項２又は５の発明は、前記透明な樹脂は板状であり、板の厚み方向に３行で板の表面に水平な方向に３列の９個の点状の領域を１単位とするので、多数の記録媒体を嵩張らず保管できる。
【００２６】
また、請求項３又は６の発明は、前記透明な樹脂は、透明なポリエチレンテレフタレート樹脂、透明なポリカーボネート樹脂、透明なアクリル樹脂のいずれかであるので、紫外線を遮断すれば、デジタルデータを、数百年、保存できる。
【００２７】
以上、本発明は、デジタルデータを、高記録密度で、解析が容易に、しかも、安価に、超長期保存できるという効果がある。
【図面の簡単な説明】
【００２８】
【図１】本発明の記録媒体の一例の断面図。
【図２】透明な樹脂に光学的に読み取り可能な点を付ける方法の一例を説明する図。
【発明を実施するための形態】
【００２９】
以下に、本発明の一実施形態を説明する。
【００３０】
まず、本発明の記録媒体を説明する。
【００３１】
本発明の記録媒体は、透明な樹脂に光学的に読み取り可能な点が付けられていることによりデジタルデータが記録されており、３行３列の９個の点状の領域を１単位とし、１行１列目の点状の領域に単位の存在を示す基準点として常に点が付けられ、１行１列目以外の８個の点状の領域に点が付けられているか否かで８ｂｉｔのデジタルデータが記録されている。
【００３２】
例えば、１行２列目の点状の領域を１の位、１行３列目の点状の領域を２の位、２行１列目の点状の領域を３の位、２行２列目の点状の領域を４の位、２行３列目の点状の領域を５の位、３行１列目の点状の領域を６の位、３行２列目の点状の領域を７の位、３行３列目の点状の領域を８の位とし、光学的に読み取り可能な点が付けられている点状の領域を１とし、光学的に読み取り可能な点が付けられておらず透明なままの点状の領域を０として、８ｂｉｔのデジタルデータが記録されている。
【００３３】
本発明の記録媒体を、透明な樹脂板とし、板の厚み方向に３行で板の表面に水平な方向に３列の９個の点状の領域を１単位とした場合の例を、図１に示す。
【００３４】
図１において、第１の単位Ａでは、１行１列目の点状の領域のみに第１の単位Ａの存在を示す基準点として光学的に読み取り可能な点２が付けられ、１行１列目以外の８個の点状の領域に光学的に読み取り可能な点が付けられておらず透明なままなので、２進法の００００００００が記録されている。
【００３５】
図１において、第２の単位Ｂでは、１行１列目の点状の領域に第２の単位Ｂの存在を示す基準点として光学的に読み取り可能な点２が付けられ、１の位の１行２列目の点状の領域に光学的に読み取り可能な点が付けられておらず透明なままであり、２の位の１行３列目の点状の領域に光学的に読み取り可能な点２が付けられ、３の位の２行１列目の点状の領域に光学的に読み取り可能な点２が付けられ、４の位の２行２列目の点状の領域に光学的に読み取り可能な点２が付けられ、５の位の２行３列目の点状の領域に光学的に読み取り可能な点２が付けられ、６の位の３行１列目の点状に光学的に読み取り可能な点２が付けられ、７の位の３行２列目の点状の領域に光学的に読み取り可能な点が付けられておらず透明なままであり、８の位の３行３列目の点状の領域に光学的に読み取り可能な点が付けられておらず透明なままであるので、２進法の００１１１１１０が記録されている。
【００３６】
図１において、第３の単位Ｃでは、１行１列目の点状の領域に第３の単位Ｃの存在を示す基準点として光学的に読み取り可能な点２が付けられ、１行１列目以外の８個の点状の領域にも光学的に読み取り可能な点２が付けられているので、２進法の１１１１１１１１が記録されている。
【００３７】
本発明の記録媒体の透明な樹脂は、透明で安価で耐久性に優れる樹脂であれば良く、例えば、透明なポリエチレンテレフタレート樹脂、透明なポリカーボネート樹脂、透明なアクリル樹脂が挙げられる。
【００３８】
透明なポリエチレンテレフタレート樹脂、透明なポリカーボネート樹脂、透明なアクリル樹脂の場合、紫外線のみ遮断できれば、数百年の保存が可能である。
【００３９】
他方、塩化ビニル樹脂、ポリスチレン樹脂は、耐溶剤性が低く、表面のカビのふき取りが困難になる可能性があるために、本発明の記録媒体の透明な樹脂として不向きである。
【００４０】
本発明の記録媒体で、デジタルデータを読み取るには、公知の光学的な読み取り方法、例えば、高倍率のルーペを用いて目視で、まず、常に３個の点状の領域の間隔ごとに並んでいる点を見つけ、これら点を基準点とし、基準点ごとに、基準点が付けられている点状の領域を１行１列目とする３行３列の点状の領域を見出し、この３行３列の点状の領域の１行１列目以外の８個の点状の領域に、点が付けられていれば、点が付けられていること、点がつけられていなければ、点が付けられていないことで、８ｂｉｔのデジタルデータを読み取ることにより行うことができる。
【００４１】
次に、透明な樹脂に光学的に読み取り可能な点を付ける方法の一例について説明する。
【００４２】
透明な樹脂に光学的に読み取り可能な点を付けることは、例えば、図２に示すように、レーザ発行装置１１と、シャッター１２と、集光レンズ１３とを備えるレーザ露光機を用いて、点を付けるべき各点状の領域に、集光レンズ１３でレーザの焦点位置を合わせ、樹脂の素材によりシャッター１２でレーザの照射強度を制御して、点を付けるべき各点状の領域を白濁させて点を付けることで行うことができる。
【００４３】
現在、レーザ露光機は、３６００ｄｐｉ程度の精度のものが市販されている。３行３列の９個の点状の領域を１単位とし、隣接する２つの点状の領域の間に、１つの点状の領域分の空間を設けるとすると、１単位には６ｄｏｔ四方が必要となり、１単位が透明な樹脂に占める正方形の１辺の長さは、３６００ｄｐｉの精度で透明な樹脂に点を付ける場合、１ｉｎｃｈが２５．４ｍｍであるので、（２５．４ｍｍ÷３６００ｄｐｉ）×６≒０．０４２３３ｍｍとなる。すなわち、約０．０４２３３ｍｍ四方につき８ｂｉｔのデジタルデータが記録できる。
【００４４】
レーザ光を波長の短い緑や青にし、集光レンズの精度を上げれば、さらなる高密度でデジタルデータの記録が可能となる。
【００４５】
また、レーザを複数同時に照射すれば、１度に複数の点状の領域を白濁させて点を付けることが可能で記録速度を上げられる。
【符号の説明】
【００４６】
１…透明な樹脂板
２…点
１１…レーザ発行装置
１２…シャッター
１３…集光レンズ
Ａ…第１の単位
Ｂ…第２の単位
Ｃ…第３の単位
【図１】
0006481433.tif 000002
【図２】
0006481433.tif 000003